(57)【特許請求の範囲】
【請求項１】
水溶性ポリマーからなる紙パプロセス用歩留り向上剤を水に溶解する方法において、前記水溶性ポリマーがイオン性モノマー単位の量が３０モル％以下のアニオン性ポリマー、カチオン性ポリマー又は両性ポリマーであり、該水溶性ポリマーの油中水型エマルションに希釈水のみを混合して、撹拌により均一化して、ポリマー濃度０.３〜１重量％の一次溶解液とし、次いで、該一次溶解液にさらに希釈水を混合して撹拌により均一化して、ポリマー濃度０.０１〜０.２重量％の二次溶解液とすることを特徴とする水溶性ポリマーからなる紙パプロセス用歩留り向上剤の溶解方法。
【請求項２】
貯槽から配管に連続的に送り出された水溶性ポリマーの油中水型エマルションに、配管において一次希釈水が添加され、配管のラインポンプ又はラインミキサーを通過することによりインラインブレンディング方式で混合液を連続的に撹拌均一化して一次溶解液とし、該一次溶解液を撹拌機つきタンクに連続的に送り、二次希釈水を連続的に添加して撹拌により均一化した二次溶解液を前記撹拌機つきタンクから連続的に取り出す請求項１記載の水溶性ポリマーからなる紙パプロセス用歩留り向上剤の溶解方法。
【請求項３】
一次溶解液の濃度が所定の濃度より高い場合は、二次希釈水の一部をラインポンプ又はラインミキサーの前に添加して、二次溶解液の均一化を促進する請求項２記載の水溶性ポリマーからなる紙パプロセス用歩留り向上剤の溶解方法。
【請求項４】
貯槽から水溶性ポリマーの油中水型エマルションを第１の撹拌機つきタンクに連続的に送り、該タンクに一次希釈水を連続的に添加して、撹拌により均一化して一次溶解液とし、該一次溶解液を第２の撹拌機つきタンクに連続的に送りこみ、該タンクに二次希釈水を添加し、撹拌により均一化して二次溶解液として、第２の撹拌機つきタンクから均一化された二次溶解液を取り出す請求項１記載の水溶性ポリマーからなる紙パプロセス用歩留り向上剤の溶解方法。
【請求項５】
貯槽から水溶性ポリマーの油中水型エマルションを第１の撹拌機つきタンクに送り、該タンクに一次希釈水を添加して撹拌により均一化して一次溶解液を一旦調製して、該一次溶解液は、溶解液貯槽に貯留されたのち、ポンプにより配管に送り出され、配管において二次希釈水が添加され、一次溶解液と二次希釈水の混合液をラインポンプ又はラインミキサーを通過することによりインラインブレンディング方式で撹拌して均一化された二次溶解液とする請求項１記載の水溶性ポリマーからなる紙パプロセス用歩留り向上剤の溶解方法。
【請求項６】
貯槽から配管に連続的に送り出された水溶性ポリマーの油中水型エマルションに、配管において一次希釈水が添加され、配管のラインポンプ又はラインミキサーを通過することによりインラインブレンディング方式で混合液を連続的に撹拌均一化して一次溶解液とし、該一次溶解液に配管において二次希釈水が添加され、一次溶解液と二次希釈水の混合液をラインポンプ又はラインミキサーを通過することによりインラインブレンディング方式で撹拌して均一化された二次溶解液とする請求項１記載の水溶性ポリマーからなる紙パプロセス用歩留り向上剤の溶解方法。
【発明の詳細な説明】
【０００１】
【発明の属する技術分野】
本発明は、水溶性ポリマーの溶解方法及び溶解装置に関する。さらに詳しくは、本発明は、排水処理用高分子凝集剤、紙パプロセス用歩留り向上剤、ろ水性向上剤などとして用いられる水溶性ポリマーの油中水型エマルションを効率よく溶解して、水溶性ポリマーの有する凝集効果を最大限に発揮させることができる水溶性ポリマーの溶解方法及び溶解装置に関する。
【０００２】
【従来の技術】
排水処理用高分子凝集剤、抄紙工程における歩留り向上剤、ろ水性向上剤などとして、水溶性ポリマーが用いられる。このような水溶性ポリマーは、高分子量であることが要求されるために、その高濃度水溶液は極めて高粘度である。従来は、このような水溶性ポリマーは、粉末の形態で商品化され、取り扱われていた。しかし、粉末状のポリマーは、取り扱いに際して粉塵が飛散するために作業の安全性に問題があり、また、使用形態である水溶液とするための溶解作業に時間と手間がかかっていた。
このために、水溶性ポリマーを油中水型エマルションとした製品が用いられるようになった。水溶性ポリマーの油中水型エマルションは、粉末状のポリマーに比べて、液状であるために自動化、省力化しやすく、溶解性にも優れている。しかし、油中水型エマルションの形態の水溶性ポリマーであっても、水に溶解する際には、部分的に非常に高粘度になるために、溶解にはなお長時間を要し、ときには配管に閉塞を生ずるなどの問題があった。また、溶解液が高粘度となることから、溶解濃度は０.１〜０.２重量％が一般的であり、溶解タンクが大型化するという問題があった。このために、油中水型エマルションの形態の水溶性ポリマーの溶解についても、さまざまな改良が試みられている。
例えば、特開平１０−５７７９０号公報には、配管内の閉塞を生ずることなく高分子のエマルションを連続的に溶解する方法として、希釈水が定量的に移送されている配管中に、逆止弁を通して高分子のエマルションを定量的に供給し、次いでこの混合液を混合装置で処理する方法が提案されている。この方法によれば、水溶性ポリマーの油中水型エマルションを一見安定して水に溶解することができるが、得られた水溶液が、水溶性ポリマーが本来有する凝集効果を十分に発揮しない場合があった。
【０００３】
【発明が解決しようとする課題】
本発明は、排水処理用高分子凝集剤、紙パプロセス用歩留り向上剤、ろ水性向上剤などとして用いられる水溶性ポリマーの油中水型エマルションを効率よく溶解して、水溶性ポリマーの有する凝集効果を最大限に発揮させることができる水溶性ポリマーの溶解方法及び溶解装置を提供することを目的としてなされたものである。
【０００４】
【課題を解決するための手段】
本発明者らは、上記の課題を解決すべく鋭意研究を重ねた結果、油中水型エマルションから調製される水溶性ポリマー水溶液の凝集効果の不足は、水溶性ポリマーが完全に水に溶解しきらないために生ずる現象であり、水溶性ポリマーの油中水型エマルションを２段階に分けて水に溶解することにより、水溶性ポリマーを完全な状態で水に溶解し、その凝集効果を最大限に発揮させ得ることを見いだし、この知見に基づいて本発明を完成するに至った。
すなわち、本発明は、
（１）水溶性ポリマーからなる紙パプロセス用歩留り向上剤を水に溶解する方法において、前記水溶性ポリマーがイオン性モノマー単位の量が３０モル％以下のアニオン性ポリマー、カチオン性ポリマー又は両性ポリマーであり、該水溶性ポリマーの油中水型エマルションに希釈水のみを混合して、撹拌により均一化して、ポリマー濃度０.３〜１重量％の一次溶解液とし、次いで、該一次溶解液にさらに希釈水を混合して撹拌により均一化して、ポリマー濃度０.０１〜０.２重量％の二次溶解液とすることを特徴とする水溶性ポリマーからなる紙パプロセス用歩留り向上剤の溶解方法、
（２）貯槽から配管に連続的に送り出された水溶性ポリマーの油中水型エマルションに、配管において一次希釈水が添加され、配管のラインポンプ又はラインミキサーを通過することによりインラインブレンディング方式で混合液を連続的に撹拌均一化して一次溶解液とし、該一次溶解液を撹拌機つきタンクに連続的に送り、二次希釈水を連続的に添加して撹拌により均一化した二次溶解液を前記撹拌機つきタンクから連続的に取り出す第１項記載の水溶性ポリマーからなる紙パプロセス用歩留り向上剤の溶解方法、
（３）一次溶解液の濃度が所定の濃度より高い場合は、二次希釈水の一部をラインポンプ又はラインミキサーの前に添加して、二次溶解液の均一化を促進する第２項記載の水溶性ポリマーからなる紙パプロセス用歩留り向上剤の溶解方法、
（４）貯槽から水溶性ポリマーの油中水型エマルションを第１の撹拌機つきタンクに連続的に送り、該タンクに一次希釈水を連続的に添加して、撹拌により均一化して一次溶解液とし、該一次溶解液を第２の撹拌機つきタンクに連続的に送りこみ、該タンクに二次希釈水を添加し、撹拌により均一化して二次溶解液として、第２の撹拌機つきタンクから均一化された二次溶解液を取り出す第１項記載の水溶性ポリマーからなる紙パプロセス用歩留り向上剤の溶解方法、
（５）貯槽から水溶性ポリマーの油中水型エマルションを第１の撹拌機つきタンクに送り、該タンクに一次希釈水を添加して撹拌により均一化して一次溶解液を一旦調製して、該一次溶解液は、溶解液貯槽に貯留されたのち、ポンプにより配管に送り出され、配管において二次希釈水が添加され、一次溶解液と二次希釈水の混合液をラインポンプ又はラインミキサーを通過することによりインラインブレンディング方式で撹拌して均一化された二次溶解液とする第１項記載の水溶性ポリマーからなる紙パプロセス用歩留り向上剤の溶解方法、及び、
（６）貯槽から配管に連続的に送り出された水溶性ポリマーの油中水型エマルションに、配管において一次希釈水が添加され、配管のラインポンプ又はラインミキサーを通過することによりインラインブレンディング方式で混合液を連続的に撹拌均一化して一次溶解液とし、該一次溶解液に配管において二次希釈水が添加され、一次溶解液と二次希釈水の混合液をラインポンプ又はラインミキサーを通過することによりインラインブレンディング方式で撹拌して均一化された二次溶解液とする第１項記載の水溶性ポリマーからなる紙パプロセス用歩留り向上剤の溶解方法、
を提供するものである。
【０００５】
【発明の実施の形態】
本発明の水溶性ポリマーの溶解方法は、水溶性ポリマーの油中水型エマルションに希釈水を混合して水溶性ポリマーを水に溶解する方法において、該エマルションに希釈水を混合して一次溶解液とし、該一次溶解液にさらに希釈水を混合して二次溶解液とするものである。
本発明方法において、水溶性ポリマーの油中水型エマルションに希釈水を混合して一次溶解液とする方法に特に制限はなく、例えば、撹拌機つきのタンクを用いてバッチ方式で混合することができ、撹拌機つきのタンクに油中水型エマルションと希釈水を連続的に供給してタンクブレンディングにより連続方式で混合することもでき、あるいは、ラインミキサー、ラインポンプなどを用いてインラインブレンディングにより連続方式で混合することもできる。なお、一次溶解液は完全に均一な溶液である必要はなく、一部の水溶性ポリマーが不完全溶解の状態で存在しても差し支えはない。
本発明方法において、一次溶解液に希釈水を混合して二次溶解液とする方法に特に制限はなく、例えば、撹拌機つきのタンクを用いてバッチ方式で混合することができ、撹拌機つきのタンクに一次溶解液と希釈水を連続的に供給してタンクブレンディングにより連続方式で混合することもでき、あるいは、ラインミキサー、ラインポンプなどを用いてインラインブレンディングにより連続方式で混合することもできる。
【０００６】
本発明方法において、一次溶解液のポリマー濃度に特に制限はないが、０.３〜２重量％であることが好ましく、０.５〜１重量％であることがより好ましい。一次溶解液のポリマー濃度が０.３重量％未満であると、水溶性ポリマーの有する凝集効果が十分に発揮されないおそれがある。一次溶解液のポリマー濃度が２重量％を超えると、一次溶解液の粘度が高くなりすぎて、取り扱いが困難となるおそれがある。
本発明方法において、二次溶解液の濃度に特に制限はないが、０.０１〜０.３重量％であることが好ましく、０.０３〜０.２重量％であることがより好ましい。二次溶解液の濃度が０.０１重量％未満であると、取り扱うべき二次溶解液の量が過大になるおそれがある。二次溶解液の濃度が０.３重量％を超えると、使用に際して均一な混合が困難となるおそれがある。
本発明方法を用いて溶解する水溶性ポリマーに特に制限はないが、排水処理用高分子凝集剤、紙パプロセス用歩留り向上剤、ろ水性向上剤などとして用いられるアニオン性ポリマー、カチオン性ポリマー又は両性ポリマーに特に好適に適用することができる。溶解するアニオン性ポリマー、カチオン性ポリマー又は両性ポリマーのイオン性モノマー単位の量は、３０モル％以下であることが好ましく、１５モル％以下であることがより好ましい。溶解するアニオン性ポリマー、カチオン性ポリマー又は両性ポリマーのイオン性モノマー単位の量が３０モル％を超えると、本発明方法により得られる二次溶解液が有する凝集効果と、従来の方法により１段で溶解して得られる溶解液が有する凝集効果の差が小さくなる傾向にある。
【０００７】
本発明の水溶性ポリマーの溶解装置は、水溶性ポリマーの油中水型エマルションに希釈水を混合する手段と、その混合液を均一化して一次溶解液とする第一の均一化手段と、一次溶解液に希釈水を混合する手段と、その混合液を均一化して二次溶解液とする第二の均一化手段とを備えてなるものである。
図１は、本発明装置の一態様の工程系統図である。本態様においては、貯槽１から送り出された水溶性ポリマーの油中水型エマルションに、配管において一次希釈水が添加され、３台のラインポンプ２を通過することにより均一化されて一次溶解液となる。一次溶解液は、撹拌機つきタンク３に送られて二次希釈水が添加され、撹拌により均一化されて二次溶解液となる。一次溶解液の濃度が高い場合は、必要に応じて、二次希釈水の一部を２台目のラインポンプと３台目のラインポンプの間に添加し、二次溶解液の均一化を容易にすることができる。
図２は、本発明装置の他の態様の工程系統図である。本態様においては、水溶性ポリマーの油中水型エマルションが貯槽４から第１の撹拌機つきタンク５に送られ、一次希釈水が同じ第１の撹拌機つきタンクに添加され、撹拌により均一化されて一次溶解液となる。一次溶解液は次いで第２の撹拌機つきタンク６に送られ、二次希釈水が同じ第２の撹拌機つきタンクに添加され、撹拌により均一化されて二次溶解液となる。本態様の装置は、各タンクにおける均一化をバッチ方式で行うことができ、あるいは、タンクブレンディングにより連続方式で行うこともできる。
【０００８】
図３は、本発明装置の他の態様の工程系統図である。本態様においては、水溶性ポリマーの油中水型エマルションが貯槽７から撹拌機つきタンク８に送られ、一次希釈水が同じ撹拌機つきタンクに添加され、撹拌により均一化されて一次溶解液となる。一次溶解液は、いったん一次溶解液貯槽９に貯留されたのち、ポンプ１０により送り出され、配管において二次希釈水が添加される。一次溶解液と二次希釈水の混合液は、ラインミキサー１１を通過することにより均一化されて二次溶解液となる。
水溶性ポリマーの油中水型エマルションは、多量の希釈水と混合すると、エマルションが反転して水溶性ポリマーが希釈水に溶解する。しかし、イオン性モノマー単位の少ない水溶性ポリマーは、反転不足になりやすく、一部の油中水型エマルションが溶解しないで残留するために、水溶性ポリマーが有する凝集効果が十分に発揮されない場合がある。本発明方法及び装置を用いて、油中水型エマルションを２段に分けて希釈溶解することにより、油中水型エマルションを完全に反転させることができる。その結果、水溶性ポリマーは完全に希釈水に溶解するので、水溶性ポリマーが有する凝集効果を最大限に発揮させることができる。油中水型エマルションは、一次溶解液の濃度が高いほど反転しやすいので、取り扱いが可能な範囲であれば、一次溶解液の濃度は高いことが好ましい。
【０００９】
【実施例】
以下に、実施例を挙げて本発明をさらに詳細に説明するが、本発明はこれらの実施例によりなんら限定されるものではない。
実施例１
図１に示す工程により、ポリマー濃度４０重量％の水溶性ポリマーの油中水型エマルションを溶解した。すなわち、貯槽１より油中水型エマルションを２０〜５０mL／分で送り出し、ポリマー濃度が０.１３〜１.０重量％になるように一次希釈水１.５〜６Ｌ／分を連続して添加し、ラインポンプ２を通過させ、容量５０Ｌの撹拌機つきタンク３に送り込んだ。一次溶解液のポリマー濃度が０.５重量％未満の場合は、２段のラインポンプを通過させてタンクに送り込み、ポリマー濃度が０.１重量％になるように二次希釈水をタンクに添加して撹拌混合した。一次溶解液の濃度が０.５重量％以上の場合は、３段のラインポンプを用い、一次溶解液に二次希釈水を加えて、３段目のラインポンプで混合希釈したのち、タンクに送り込んだ。タンク中の滞留時間は、３.４〜４.０分とした。
中性紙抄紙工場の白水と種箱原料を用い、インレット濃度に混合調整して試験スラリーとした。各原料と試験スラリーの水質を第１表に示す。なお、白水の濃度の測定はＴＡＰＰＩ Ｔ６５６ｈｍ−８３に基づき、灰分はＩＳＯ １７６２に基づいておこなった。
【００１０】
【表１】
0005149469.tif 000002
【００１１】
水溶性ポリマーとして用いたアクリルアミドのコポリマーの構造及び固有粘度を、第２表に示す。
【００１２】
【表２】
0005149469.tif 000003
【００１３】
試験スラリー１８０mLを容量３００mLのポリビーカーにとり、水溶性ポリマーの二次溶解液を添加し、タービン羽根を備えた撹拌機を用いて、２５０rpmで２０秒間撹拌し、試験スラリーを凝集させた。次いで、プラスチックワイヤを敷いたろ過器に凝集させた試験スラリーを注ぎ込み、１０秒後のろ水量を測定した。結果を第３表に示す。
【００１４】
【表３】
0005149469.tif 000004
【００１５】
第３表に見られるように、二次溶解液の濃度はすべて０.１重量％であるが、水溶性ポリマーの一次溶解液を調製したのち希釈水を混合して二次溶解液を調製したとき、一次溶解液の濃度が低い場合よりも高い場合の方が１０秒後のろ水量が多く、水溶性ポリマーの溶解を２段階に行うことにより、その凝集性能を十分に発揮させ得ることが分かる。この効果は、イオン性の高いポリマーよりも、イオン性の低いポリマーにおいて顕著である。また、一次溶解液の濃度は、０.３重量％以上であることが好ましい。
実施例２
図２に示す工程により、ポリマー濃度４０重量％のアクリルアミド／アクリル酸ナトリウム（モル比９０／１０）コポリマーの油中水型エマルションを溶解した。すなわち、貯槽４より油中水型エマルションを３０mL／分で容量１００Ｌのタンク５に送り込み、ポリマー濃度が０.５重量％になるように一次希釈水２.３７Ｌ／分を同時にタンク５に添加した。タンク５における平均滞留時間は、３３分である。タンク５の一次溶解液を連続して容量１００Ｌのタンク６に送り込み、二次希釈水を９.６Ｌ／分でタンク６に添加し、ポリマー濃度０.１重量％の二次溶解液を調製した。
新聞用紙抄紙工場の白水とリファイナー出口原料をインレット濃度に混合調整し、硫酸バンドと硫酸を添加してpHを４.９に調整し、試験スラリーとして使用した。各原料と試験スラリーの水質を第４表に示す。なお、pH調整前のスラリーのpHは５.２であり、ゼータ電位は−６.４ｍＶであった。
【００１６】
【表４】
0005149469.tif 000005
【００１７】
試験スラリー２Ｌをダイナミックリテンションテスターにとり、二次溶解液をポリマー濃度が０.０１重量％になるように添加し、１,０００rpmで２０秒間撹拌したのちコックを開き、ワイヤを通って流出する液の最初の２００mLを採取し、そのうちの１００mLを計りとってそのＳＳを測定した。白水濃度は２,７９０mg／Ｌ、灰分は７７０mg／Ｌ、歩留り率は６６.７重量％であった。二次溶解液をポリマー濃度が０.０２重量％になるように添加したとき、白水濃度は２,４７０mg／Ｌ、灰分は６５０mg／Ｌ、歩留り率は７０.５重量％であった。二次溶解液をポリマー濃度が０.０３重量％になるように添加したとき、白水濃度は２,３３０mg／Ｌ、灰分は６３０mg／Ｌ、歩留り率は７２.２重量％であった。
比較例１
実施例２で用いたポリマー濃度４０重量％のアクリルアミド／アクリル酸ナトリウム（モル比９０／１０）コポリマーの油中水型エマルションを、１段で溶解してポリマー濃度０.１重量％の溶解液を調製した以外は、実施例２と同じ試験を行った。
溶解液をポリマー濃度が０.０１重量％になるように添加したとき、白水濃度は２,９２０mg／Ｌ、灰分は８７０mg／Ｌ、歩留り率は６５.２重量％であった。溶解液をポリマー濃度が０.０２重量％になるように添加したとき、白水濃度は２,７５０mg／Ｌ、灰分は７６０mg／Ｌ、歩留り率は６７.２重量％であった。溶解液をポリマー濃度が０.０３重量％になるように添加したとき、白水濃度は２,５３０mg／Ｌ、灰分は７００mg／Ｌ、歩留り率は６９.８重量％であった。
比較例２
アクリルアミド／アクリル酸ナトリウムコポリマーを添加することなく、実施例２と同じ試験を行った。
白水濃度は３,３３０mg／Ｌ、灰分は１,０１０mg／Ｌ、歩留り率は６０.３重量％であった。
実施例２及び比較例１〜２の結果を、第５表に示す。
【００１８】
【表５】
0005149469.tif 000006
【００１９】
第５表に見られるように、ポリマーの添加率が同じ場合、アクリルアミド／アクリル酸ナトリウムコポリマーの油中水型エマルションを２段に希釈溶解した実施例２の方が、１段で希釈溶解した比較例１よりも、白水濃度が低く、灰分が少なく、歩留り率が高くなっている。
実施例３
図２に示す工程により、ポリマー濃度４０重量％のアクリルアミド／アクリル酸ナトリウム（モル比９０／１０）コポリマーの油中水型エマルションを溶解した。すなわち、貯槽４より油中水型エマルションを３０mL／分で容量８０Ｌのタンク５に送り込み、ポリマー濃度が０.１〜１.５重量％になるように一次希釈水０.８〜１２Ｌ／分を同時にタンク５に添加した。タンク５における平均滞留時間は、６.６〜１００分である。タンク５の一次溶解液を連続して容量８０Ｌのタンク６に送り込み、二次希釈水をタンク６に添加し、ポリマー濃度０.１重量％の二次溶解液を調製した。
実施例２と同じ試験スラリーを用い、実施例１と同様にしてろ水性試験を行って１０秒後のろ水量を測定した。
比較例３
比較例１の１段で溶解して調製したポリマー濃度０.１重量％の溶解液を用いた以外は、実施例３と同様にしてろ水性試験を行った。
比較例４
アクリルアミド／アクリル酸ナトリウムコポリマーを添加することなく、実施例３と同様なろ水性試験を行った。
実施例３及び比較例３〜４の結果を、第６表に示す。
【００２０】
【表６】
0005149469.tif 000007
【００２１】
第６表に見られるように、実施例３の二次溶解液及び比較例３の溶解液の濃度はすべて０.１重量％であるが、１段で溶解した比較例３よりも２段で溶解した実施例３の方が１０秒後のろ水量が多く、また、実施例３の中でも、一次溶解液の濃度が低い場合よりも高い場合の方が１０秒後のろ水量が多く、アクリルアミド／アクリル酸ナトリウムコポリマーの溶解を２段階に行い、かつ一次溶解液の濃度を高くすることにより、その凝集性能を十分に発揮させ得ることが分かる。
実施例４
図３に示す工程により、ポリマー濃度３０重量％のアクリルアミド／ジメチルアミノエチルアクリレート・塩化メチル四級化物（モル比９０／１０）コポリマーの油中水型エマルションをバッチ連続方式により溶解した。すなわち、貯槽７より油中水型エマルションを容量１,０００Ｌのタンク８に送り込み、ポリマー濃度が０.１重量％又は０.５重量％になるように一次希釈水をタンク５に添加し、撹拌機を用いて３０分間溶解した。得れらた一次溶解液は容量２,０００Ｌの貯槽９に貯留した。貯槽９の一次溶解液は、ポンプ１０を用いて送り出し、ポリマー濃度が０.０５重量％になるように二次希釈水を連続的に添加し、ラインミキサー１１を用いて混合し、二次溶解液を調製した。
ライナー抄紙工場の余剰白水を試験液として、ジャーテスト（机上試験）を行い、さらに実機での回収工程に二次溶解液を添加しその効果を確認した。
試験に用いた余剰白水の水質を、第７表に示す。
【００２２】
【表７】
0005149469.tif 000008
【００２３】
余剰白水５００mLをビーカーにとり、１５０rpmで撹拌しながらポリ塩化アルミニウムを対ＳＳ３００重量％添加した。さらに１５０rpmで２分間撹拌したのち、撹拌を停止し、前記二次溶解液を添加率が０.５mg／Ｌ又は１.０mg／Ｌになるように添加した。直ちに１５０rpmで急速撹拌を開始するとともに、ストップウォッチでフロック形成時間を測定し、１分間の急速撹拌ののち、５０rpmの緩速撹拌を３分間行った。その間、緩速撹拌１分３０秒経過時のフロック径を目視により決定した。緩速撹拌を停止するとともに、ストップウォッチでフロックが水面下４cmに沈降する時間を測定して沈降速度を求めた。
実機テストにおいては、板紙廃水（pH７.０、ＳＳ濃度５,１６０mg／Ｌ、ゼータ電位−１３.２mV）を凝集加圧浮上する装置の原水に液体硫酸バンドを５mg／Ｌ配管注入するとともに、その下流に前記二次溶解液を添加率が０.５〜２.０mg／Ｌになるように添加し、処理水のＳＳ濃度と濁度を測定した。
ジャーテストの結果を第８表に、実機テストの結果を第９表に示す。
【００２４】
【表８】
0005149469.tif 000009
【００２５】
【表９】
0005149469.tif 000010
【００２６】
第８表及び第９表に見られるように、一次溶解液の濃度を０.５重量％とすると、一次溶解液の濃度を０.１重量％とした場合に比べて、ポリマーの添加率が１／２で同等以上の効果が得られている。フロック強度を要求される加圧浮上装置の白水回収においては、溶解濃度差による効果の差は顕著に現れる。
【００２７】
【発明の効果】
本発明の水溶性ポリマーの溶解方法及び溶解装置によれば、水溶性ポリマーの油中水型エマルションをを効率よく溶解して、水溶性ポリマーの有する凝集効果を最大限に発揮させることができる。
【図面の簡単な説明】
【図１】図１は、本発明装置の一態様の工程系統図である。
【図２】図２は、本発明装置の他の態様の工程系統図である。
【図３】図３は、本発明装置の他の態様の工程系統図である。
【符号の説明】
１  貯槽
２  ラインポンプ
３  撹拌機つきタンク
４  貯槽
５  第１の撹拌機つきタンク
６  第２の撹拌機つきタンク
７  貯槽
８  撹拌機つきタンク
９  一次溶解液貯槽
１０  ポンプ
１１  ラインミキサー
【図１】
0005149469.tif 000011
【図２】
0005149469.tif 000012
【図３】
0005149469.tif 000013